(57)【要約】【課題】歩行者が正しい足取りを誘導できるようにすることを目的とする。【解決手段】本考案は正しい歩みを歩けるように歩みを矯正することができる履物に関するもので、特に歩みを歩く時、正しい歩みではない場合、警報音を鳴らすようにして歩行者が警戒心を持って姿勢を直すことができるようにしたものであって、履物の先方に設置される発光素子と;上記発光素子が位置して、上下左右に角度を調節できるように角度調節装置と; 履物の後方に設置される受光素子と;受光素子に入力される光を検出する検出器と、上記検出器に所定の時間が経ても光が入力されない場合、警報音を発する警報装置と;上記検出器に入力される光の入力周期を調整する調節装置と;上記装置等に電源を印加する電源装置を含むことを特徴とする歩行矯正用履物である。【選択図】図３
0003132645.tif 000002
【実用新案登録請求の範囲】
【請求項１】
履物の先方に設置される発光素子と;履物の後方に設置される受光素子と;受光素子に入力される光を検出する検出器と;上記検出器に入力される光の入力時間を特定するタイマーと;上記検出器に所定の時間が経ても光が入力されない場合、警報音を発する警報装置と;上記装置等に電源を印加する電源装置から構成されることを特徴とする歩行矯正用履物。
【考案の詳細な説明】
【技術分野】
【０００１】
本考案は正しい歩行ができるように、歩行を矯正させることができる履物に関するもので、特に歩行時に正しく歩行していない場合、警報音を鳴らすようにして歩行者が警戒心を持って歩行姿勢を直すことができるようにしたものである。
【背景技術】
【０００２】
正しく歩くことが健康に役に立つということは常識的なことであるが、正しく歩く習慣に馴れることは容易でないので、大部分の人々が歩く時、歩行パターンが図２に図示したように、足の先方が外側に広がる形態で歩くことになり、脊椎に無理な力が加わり、すぐ疲れを感じるようになり長時間歩くことができなくなる。
【０００３】
従来の正しい足取りを誘導するためのものとしては、図３に図示したように、履物の底の裏部分に矯正装置を取付けて、履物をはく人が足裏の一方に力が偏重されないで足裏全体で力を受ける正しい足取りを有するように補助する矯正装置が開発されている。
【０００４】
このような矯正装置を履物の設置した状態で、この歩行矯正履物をはいた人が矯正装置の全部分に等しく力が受けられるように、正しく歩くと両方の端部分にある凹凸が足裏を刺激しないが、もし履物をはいた人が歩く時、一方部分から地面に触れるように歩くと、矯正装置の両方にある凹凸のうち触れる方の凹凸が足裏に刺激を加えることになる。これによって履物をはいた人は自分の歩みが正しくないということが分かるようになる。したがって、この履物をはくと、足を運ぶ度に足裏の一方が地面に触れるときに使用者に刺激を与えて、使用者が正しい歩行をする習慣を持たせるようにする。
【考案の開示】
【考案が解決しようとする課題】
【０００５】
しかし、上記のような矯正装置は足取りのパターンを矯正できるだけで、足の位置を正しく矯正することができないとの問題点があった。
【０００６】
本考案は、上のような問題点を解消するため案出したものであって、歩行者が正しい足取りを誘導できるようにすることを目的とする。
本考案の更に他の目的は、歩行者の正しい足取りを通じて、安定した歩行による健康的な生活を維持できるようにすることにある。
【課題を解決するための手段】
【０００７】
上記目的を果たすための本考案は、履物の先方に設置される発光素子と;履物の後方に設置される多数の受光素子と;上記受光素子に入力される光を検出する検出器と;上記検出器に入力される光の入力時間を特定するタイマーと;上記検出器に所定の時間が経ても光が入力されない場合、警報音を発する警報装置と; 上記装置等に電源を印加する電源装置と、を含むことを特徴とする。
本考案の更に他の特徴は上記発光素子が位置し、発光素子から放出する光の方向を上下左右に調節できる角度調節装置を具備することを特徴とする。
【考案の効果】
【０００８】
上記したように、本考案によれば、歩行者の正しい足取りを誘導できるようにし、歩行者の正しい足取りを通じて、安定した足取りによる健康的な生活を維持することができる。
【考案を実施するための最良の形態】
【０００９】
以下、添付した図面を参照して本考案の構成及び作用について詳細に説明する。
まず、図３を参照して本考案の構成を説明する。履物(10)は、履物(10)の先方に設置される発光素子(11)と;履物の後方に設置される受光素子(13)と;受光素子に入力される光を検出する検出器(15)と;上記検出器に入力される光の入力時間を特定するタイマー(16)と;上記検出器(15)に所定の時間が経ても光が入力されない場合、警報音を発する警報装置(17)と;上記装置等に電源を印加する電源装置(19)から構成されている。
【００１０】
上のように構成される本考案の履物をはいた者が、歩行の際に足取りが一定であり、足の位置が並んでいない場合、警報音を発して警戒心を起こして正しい歩行ができるようにしたもので、これをより詳しく説明すると下記の通りである。
正しい足取りは図１に図示したように、左足と右足が交差しながら、先に踏み出す時、一直線に足が位置しなければならないので、履物の前に設置された発光素子(11)で一定な波長を有する光を発光すると、履物(10)の後尾に設置された受光素子(13)に光が入力されるので、検出器(15)でこれを検知して与えられた時間以内に周期的に光が入力されるかどうかを感知して、所定の時間以内に光が入力されない場合、警報装置(17)から警報音を鳴らすことができるようになる。
【００１１】
この際、検出器(15)で検出される時間は通常的な大人の場合、１分に約１２０歩の歩みを歩くことになり、これを基準とすると１秒に２歩を歩くことになるので、一方の履物の前方部分から発光する光が、他方の履物の後方部分に取付けられた受光素子に１秒以内に光が入力されない場合、警告音を発生するようにタイマー(16)をセッティングする。
【００１２】
上のように歩行演習者が図１に示されたように、正しい足取りを行う時に、履物(10)の前面に設置された発光素子(11)から発する光が前足の後面に設置された受光素子(13)に入力されると、正常な歩行と認識するが、歩行演習者が図２に示されたように、正しくない足取りを行う時には、履物の前面に設置された発光素子から発する光が前足の後面に設置された受光素子に入力されないと、検出器(15)でこれを検知することができないので、正常でない歩行と認識して警報装置(17)で警報音を鳴らすことになる。
これにより歩行演習者は自分の足取りが正しくないということが分かるようになり、正しい姿勢を持たせるように足の位置を矯正することができるようになる。
【００１３】
上のような過程によって演習者が歩行しながら演習を通じて足取りを矯正するようになるが、このような過程で初めからむりやりに矯正をする場合、不作用が発生しうるので、足の位置を少しずつ変形しながら正しい歩行に馴れるように、発光素子で照査される光の方向を調節できるようにするが、この時には左右調節装置で左足の先方に設置された調節装置を調節すると固定台が右側方向に方向を調節し、右足の先方に設置された調節装置を調節すると固定台が左側方向に方向を調節し、発光素子から発する光は履物裏側に位置した受光素子に光を照査することができるようになる。
上のように調節装置を調節して足の角度を少しずつ内側に移動しながら矯正できるようにして歩行演習者が正しい歩みができるように誘導する。
【図面の簡単な説明】
【００１４】
【図１】正しい歩行を例示する模式図である。
【図２】誤った歩行を例示する模式図である。
【図３】本考案の一実施形態を示す履物の斜視図である。
【図４】本考案に係る回路図を示している。
【符号の説明】
【００１５】
１０  履物
１１  発光素子
１３  受光素子
１５  検出器
１６  タイマー
１７  警報装置
１９  電源装置
【図１】
0003132645.tif 000003
【図２】
0003132645.tif 000004
【図３】
0003132645.tif 000005
【図４】
0003132645.tif 000006